(57)【要約】  本発明は、一移動方向にハウジング（３）内を案内される弁スライダ（１）を作動させるための磁気駆動装置（２）と、変化する体積流量を制御するために、弁の入口（１４）と弁の出口（１５）との間のハウジング（３）内に配置された通路（８）とを備えた、特に振動ダンパのダンパ特性曲線を可変調整するための、電気制御弁に関するものであり、通路（８）は、弁スライダ（１）の制御縁（９）と協働する。本発明によれば、弁スライダ（１）の移動方向は電気的に可逆的であり、これにより、弁の特性曲線を可変に制御するための弁の比較的簡単な機械的な構造が得られる。
2009501888.tif 000002
【特許請求の範囲】
【請求項１】
一移動方向にハウジング内を案内される弁スライダを作動させるための磁気駆動装置と、変化する体積流量を制御するために、弁の入口と弁の出口との間の前記ハウジング内に配置された通路とを備え、該通路が、前記弁スライダの制御縁と協働している形式の、特に振動ダンパのダンパ特性曲線を可変調整するための電気制御弁であって、
前記弁スライダ（１）の移動方向が、電気的に可逆的であることを特徴とする電気制御弁。
【請求項２】
前記弁スライダ（１）の移動方向が、前記磁気駆動装置（２）の通電と関連して可逆的であることを特徴とする請求項１に記載の弁。
【請求項３】
前記磁気駆動装置（２）が、前記ハウジング（３）に固定された第１および第２の磁気コイル（４、５）を有し、前記磁気コイルが、前記弁スライダ（１）と結合されたアーマチュア（６）を任意に作動させるために、共同でまたは互いに独立して、一方向または他方向に電気的に励磁可能であることを特徴とする請求項１または２に記載の弁。
【請求項４】
ハウジング（３）内の前記アーマチュア（６）は、ばね（７）の作用を受けて、前記弁スライダ（１）が、前記２つの磁気コイル（４、５）の非通電状態において、前記弁スライダ（１）の前記制御縁（９）が前記通路（８）を少なくとも部分的に開放している基本位置を占めることを特徴とする請求項３に記載の弁。
【請求項５】
前記弁スライダ（１）の位置が、好適な測定装置により検知可能であることを特徴とする請求項１から４までのいずれか１項記載の弁。
【請求項６】
前記測定装置が、前記アーマチュア（６）の移動により、前記２つの磁気コイル（４、５）うちの少なくとも１つの磁気コイルにおいて誘導された電流を検出する誘導測定装置として構成されていることを特徴とする請求項５に記載の弁。
【請求項７】
前記測定装置が、前記アーマチュア（６）の位置と関連して、前記弁スライダ（１）の位置を検知する評価回路（１０）と組み合わされていることを特徴とする請求項１から６までのいずれか１項記載の弁。
【請求項８】
前記アーマチュア（６）が、入口の圧力により油圧負荷可能なタペット（１１）を介して、中空のスライダとして構成された前記弁スライダ（１）に結合され、前記弁スライダ（１）が、有利には複数の円周方向の溝（１２）を備えていてかつ前記ハウジング（３）の構成部品である内部シリンダ（１３）上の内部センタリング装置により滑動運動可能に案内されることを特徴とする請求項１から７までのいずれか１項記載の弁。
【請求項９】
前記弁スライダ（１）が、ボール形状の中空のスライダとして構成され、該ボール形状のスライダのボール形状の底部が前記タペット（１１）に結合され、該ボール形状の底部とは反対側のボール形状の縁部が、前記制御縁（９）を有していることを特徴とする請求項１から８までのいずれか１項記載の弁。
【請求項１０】
前記制御縁（９）と協働する前記通路（８）は、前記ハウジング（３）内の横穴として構成され、前記通路（８）は、有利には前記内部シリンダ（１３）の壁内に配置されていることを特徴とする請求項１から９までのいずれか１項記載の弁。
【発明の詳細な説明】
【技術分野】
【０００１】
本発明は、請求項１の上位概念に記載の、特にショックアブソーバーで使用される電気制御弁に関する。
【背景技術】
【０００２】
欧州特許第０６２７０５２Ｂ１号明細書では、この形式の弁が開示されている。この弁の弁スライダは、ハウジング内の弁スライダの基本位置を規定する曲げばねを介して、電力供給が行われる可動コイルを担持する。ハウジングは、可動コイルと協働する永久磁石を担持するので、単一作動方向に弁スライダを電気機械的に作動させるために、全体として比較的大きな作動力および構造が必要となる。
【０００３】
弁スライダの位置は、ハウジング側のセンサ要素と弁スライダに結合された永久磁石とからなる、別個の測定装置を用いて検知される。また、このような配置は、構造費用を増大させ、弁スライダに可動コイルを結合することで、質量ひいてはシステムの慣性も増加する。
【発明の開示】
【発明が解決しようとする課題】
【０００４】
本発明の目的は、上記欠点を取り除いてかつ簡単で機能的に信頼できる手段を使用して、弁スライダがその移動方向とは無関係に常に高い制御動力学を達成できる当初に述べた形式の弁をできるだけ最小の費用で提供することにある。
【課題を解決するための手段】
【０００５】
本発明によれば、上記目的は、請求項１の特徴部分を有する、請求項１の上概念に記載の形式の弁によって達成される。
【０００６】
次に、本発明の構成要件、利点、および適用の可能性を、図示の実施例に基づいて以下に説明する。
【発明を実施するための最良の形態】
【０００７】
図１は、２つの正反対の移動方向において電気的に直接制御可能であるスライド弁の略示縦断面図である。スライド弁は、有利には振動ダンパの減衰特性曲線を可変調整するのに使用されている。
【０００８】
ハウジング３内を案内される弁スライダ１を作動させるために、弁は磁気駆動装置２を有している。磁気駆動装置２は、弁の入口１４と弁の出口１５との間の、変化する体積流量を制御するために、ハウジング３内の弁スライダ１を、ハウジング３内に配置された通路８が弁スライダ１の制御縁９により無段階に開放されるまたは閉じられるように作動する。
【０００９】
したがって、本発明は、弁スライダ１の移動方向を磁気駆動装置２の通電と関連して逆転可能である。このため、弁スライダ１が、可逆持ち上げ磁石として設けられた磁気駆動装置２によって駆動可能である。
【００１０】
このため、磁気駆動装置２は、ハウジング３に固定された第１および第２の磁気コイル４、５を有している。磁気コイル４，５は、弁スライダ１に結合されたアーマチュア６を選択的に作動させるために、共同でまたは互いに無関係に、一方または他方の方向に電気的に作動可能である。２つの磁気コイル４、５は、管状のハウジング３に沿って同軸的に整列して連続的に配置され、ハウジング３を介したアーマチュア６への磁気回路を形成するスリーブ形状のヨークシート１６によって囲まれている。
【００１１】
したがって、２つの磁気コイル４、５の通電と関連して、アーマチュア６およびアーマチュア６に固定結合された弁スライダ１の、図示されている中間の位置（基本位置）から左または右への、電流に比例した長手方向の移動が生じて、通路８の絞り効果に影響を及ぼす。
【００１２】
ハウジング３内の磁気コイル４、５内に配置されたアーマチュア６は、ばね７の作用を受ける。ばね７により、弁スライダ１が、２つの磁気コイル４、５が非通電状態において、図示の基本位置を占める。この基本位置において、制御縁９は、通路８を少なくとも部分的に開放している。したがって、電気エネルギが供給されないときにはいつでも、十分な大きさの体積流量が通路８を通過し得ることが確実になる。ばね７は、圧縮ばねとして構成されると有利である。当然ながら、所望の場合または必要な場合には、張力ばねとして構成されてもよい。
【００１３】
ばね７は、円筒形の圧縮ばねとして、弁スライダ１の反対側にありかつ凹所を有するアーマチュア６の左側の端面と、ハウジング３の端壁との間に直接圧縮されている。これにより、コンパクトなばね組立体が達成される。
【００１４】
入口の圧力により油圧負荷可能なタペット１１により、アーマチュア６は、中空のスライダとして構成された弁スライダ１に固定結合されているので、中間の位置にある弁スライダ１の位置が、タペット１１に対する油圧反力によって支えられている。弁スライダ１は、複数の円周方向の溝１２を有する内部シリンダ１３上の内部センタリング装置により、移動可能かつ漏れのないように案内される。
【００１５】
図示の実施例においては、別個の構成要素としての内部シリンダ１３は、その前端部に弁の入口１４を有する管状のハウジング３内に同心的に嵌合される。円周方向の溝１２の上流に、内部シリンダ１３は通路８を有している。弁スライダ１の制御縁９と協働する通路８は、内部シリンダ１３の壁を通って延在する横穴として構成される。内部シリンダ１３は、自動機械の要求に適合した旋削部品として製造すると有利である。弁スライダ１内に突出するタペット１１の端部は、旋削部品の中央の穴１７の中に浸漬されて案内されている。通路８の下流に置かれた弁の出口１５は、ハウジング３の壁を通って延びている。
【００１６】
弁スライダ１は、ボール形状の中空のスライダとして特に簡単に構成されている。このボール形状のスライダ部のボール形状の底部は、タペット１１を介して、ピストン形状のアーマチュア６に結合している。ボール形状の底部とは反対側のボール形状の縁部は、有利には制御縁９の機能を有している。弁スライダ１は、上述の形状に応じた深絞り部品として製作すると特に有利である。ボール形状の底部とボール形状の縁部との間に配置された弁スライダ１の内周は、上述の円周方向の溝１２を有する内部シリンダ１３の外周に沿った金属シールにより低摩擦で案内される。これにより、ラビリンスパッキンの形式で、望ましくない漏れの流れが回避される。
【００１７】
弁スライダ１の位置は、正確な体積流量制御のための好適な測定装置を使用して検出可能である。使用される磁気駆動装置２により、特に有利な形式の測定装置は、誘導測定装置として構成されている。この誘導測定装置は、アーマチュア６の移動によって誘導される、２つの磁気コイル４、５の少なくとも１つにおいて電流を測定する。したがって、磁気コイル４、５は、略示された評価回路１０と組み合わせられた、測定装置の構成要素とみなされる。したがって、評価回路１０により、アーマチュア６の位置と関連する弁スライダ１の行程位置を正確に検知可能である。
【００１８】
要約すると、本発明の弁は、安価に製作可能な、特に簡単な機械構造によって特徴づけられる。低い抵抗でハウジング３内を移動する小さい質量により、選択された磁気駆動装置２を考慮して、弁スライダ１の、電力消費が比較的少ない高精度の動的制御が、弁スライダ１の両作動方向において実現される。所望の場合または必要な場合には、選択された磁気駆動装置２を介して、明確に定義された圧力／体積特性を有する可変な弁特性曲線を描くことも可能である。
【図面の簡単な説明】
【００１９】
【図１】２つの正反対の移動方向に電気的に直接制御されかつ有利には振動ダンパの減衰特性曲線を可変調整するのに使用されるスライド弁の略示縦断面図である。
【符号の説明】
【００２０】
１  弁スライダ
２  磁気駆動装置
３  ハウジング
４  磁気コイル
５  磁気コイル
６  アーマチュア
７  ばね
８  通路
９  制御縁
１０  評価回路
１１  タペット
１２  円周方向の溝
１３  内部シリンダ
１４  弁の入口
１５  弁の出口
１６  ヨークシート
１７  中央の穴
【図１】
2009501888.tif 000003
【国際調査報告】
2009501888.tif 000004
2009501888.tif 000005
2009501888.tif 000006
2009501888.tif 000007
2009501888.tif 000008
2009501888.tif 000009